(57)【要約】  限られた領域へ空気流を導くように構成される通気路を有する暖房、換気および空調システムが提供される。システムは、通気路に配設されて、その中に水を保持するように構成されるトレイを有する加湿ユニットを備え、トレイは、水が前記通気路の空気流を加湿し、それによって限られた領域の湿度レベルを制御するように、前記通気路にとても配設される。【選択図】図１Ｂ
2016521841.tif 000002
【特許請求の範囲】
【請求項１】
暖房、換気および空調（ＨＶＡＣ）システムのための加湿ユニットにおいて、
通気路の気流を加湿するように、ＨＶＡＣシステムの前記通気路に配設されるように構成されて、水を保持するように構成されるトレイを備える
ことを特徴とする加湿ユニット。
【請求項２】
請求項１に記載の加湿ユニットにおいて、
前記水トレイが、前記ＨＶＡＣシステムのフレーム前記通気路に一体化される
ことを特徴とする加湿ユニット。
【請求項３】
請求項１に記載の加湿ユニットにおいて、
前記水トレイが、ＨＶＡＣシステムのダクトチャネルのグリルと一体的に形成される
ことを特徴とする加湿ユニット。
【請求項４】
請求項１に記載の加湿ユニットにおいて、
前記水トレイが、ＨＶＡＣシステムのダクトチャネルとグリルとの間に連結される配管コネクタに一体化される
ことを特徴とする加湿ユニット。
【請求項５】
請求項１に記載の加湿ユニットにおいて、
前記水トレイが、中央空気ＨＶＡＣシステムの分割より下流の中央ラインダクトに設置されるように構成される
ことを特徴とする加湿ユニット。
【請求項６】
請求項１乃至５の何れか１項に記載の加湿ユニットにおいて、
前記トレイに対して選択的に配設されるように構成され、それによって、前記通気路で空気にさらされる水の表面積を決定する蓋をさらに備える
ことを特徴とする加湿ユニット。
【請求項７】
請求項６に記載の加湿ユニットにおいて、
所望の湿度レベルにしたがって前記蓋の配置を制御するための制御装置をさらに備える
ことを特徴とする加湿ユニット。
【請求項８】
請求項１乃至７の何れか１項に記載の加湿ユニットにおいて、
給水ポートを介して前記水トレイに連結される給水ラインをさらに備える
ことを特徴とする加湿ユニット。
【請求項９】
請求項８に記載の加湿ユニットにおいて、
前記給水ラインが、前記ＨＶＡＣシステムの凝縮ドレンからの水を案内するように構成される
ことを特徴とする加湿ユニット。
【請求項１０】
請求項７乃至９の何れか１項に記載の加湿ユニットにおいて、
前記制御装置が、前記ＨＶＡＣシステムの作動停止に対応して、前記水トレイの水の排出を開始するように作動する
ことを特徴とする加湿ユニット。
【請求項１１】
請求項１０に記載の加湿ユニットにおいて、
前記制御装置が、前記ＨＶＡＣシステムの作動開始に対応して、水の充填を開始するように作動する
ことを特徴とする加湿ユニット。
【請求項１２】
請求項８乃至１１の何れか１項に記載の加湿ユニットにおいて、
前記給水ラインを通る流れを制御し、前記水トレイの水位を調節するための水位調節器をさらに備える
ことを特徴とする加湿ユニット。
【請求項１３】
請求項１乃至１２の何れか１項に記載の加湿ユニットにおいて、
前記水トレイに配設され、その中の前記水を加熱するように構成され、それによって、前記ＨＶＡＣシステムの前記通気路における前記空気の加湿を加速する加熱要素をさらに備える
ことを特徴とする加湿ユニット。
【請求項１４】
請求項１３に記載の加湿ユニットにおいて、
前記加熱要素が、前記水トレイの水を加熱するための、前記水トレイを対象とする前記ＨＶＡＣシステムの加熱気体ラインである
ことを特徴とする加湿ユニット。
【請求項１５】
請求項１乃至１４の何れか１項に記載の加湿ユニットにおいて、
堆積するカルシウム沈着をそこから除去するための洗浄機構をさらに備える
ことを特徴とする加湿ユニット。
【請求項１６】
請求項１５に記載の加湿ユニットにおいて、
前記洗浄機構が、前記水トレイに堆積するカルシウム沈着を細かくするためのブラシを備える
ことを特徴とする加湿ユニット。
【請求項１７】
請求項１５に記載の加湿ユニットにおいて、
前記洗浄機構が、前記水トレイに堆積するカルシウム沈着を細かくするために、前記水トレイの表面の方へ高圧水を導くように作動する高圧散水ロッドを備える
ことを特徴とする加湿ユニット。
【請求項１８】
請求項１乃至１７の何れか１項に記載の加湿ユニットにおいて、
前記水トレイの水を消毒または軟化させるための、前記水トレイの水と流体連通する、錠剤を保持するために使用可能であるバスケットを含むことをさらに備える
ことを特徴とする加湿ユニット。
【請求項１９】
請求項１乃至１８の何れか１項に記載の加湿ユニットにおいて、
前記水トレイが、前記水トレイを傾けるために回転するように構成される軸の上に支持される
ことを特徴とする加湿ユニット。
【請求項２０】
請求項１９に記載の加湿ユニットにおいて、
前記軸およびモータの動作を制御するための制御装置と結合するモータを備える
ことを特徴とする加湿ユニット。
【請求項２１】
請求項１乃至２０の何れか１項に記載の加湿ユニットにおいて、
前記トレイが、波形層が毛管水移動を提供することを保証する方法で形成される波形層を備える、親水ボール紙から作られる折りたたまれた表面をさらに備える、
ことを特徴とする加湿ユニット。
【請求項２２】
限られた領域へ空気流を導くように構成される通気路を有するＨＶＡＣシステムにおいて、
前記システムが、前記通気路に配設されて、その中に水を保持するように構成されるトレイを有する加湿ユニットを備え、
前記トレイが、前記水が前記通気路の前記空気流を加湿し、それによって前記限られた領域の前記湿度レベルを制御するように、前記通気路にとても配設される
ことを特徴とするＨＶＡＣシステム。
【請求項２３】
請求項２２に記載のＨＶＡＣシステムにおいて、
前記水トレイが、前記通気路の壁部分と一体的に形成される
ことを特徴とするＨＶＡＣシステム。
【請求項２４】
請求項２３に記載のＨＶＡＣシステムにおいて、
前記通気路が、グリルを有するダクトチャネルを含み、
前記水トレイが、前記グリルと一体的に形成される
ことを特徴とするＨＶＡＣシステム。
【請求項２５】
請求項２３に記載のＨＶＡＣシステムにおいて、
前記通気路が配管コネクタを含み、
前記水トレイがその中に一体化される
ことを特徴とするＨＶＡＣシステム。
【請求項２６】
請求項２２に記載のＨＶＡＣシステムにおいて、
前記ＨＶＡＣシステムが、中央ダクトを有する中央空気システムであり、
前記水トレイが、前記ダクトに配設される
ことを特徴とするＨＶＡＣシステム。
【請求項２７】
請求項２２乃至２６の何れか１項に記載のＨＶＡＣシステムにおいて、
前記加湿ユニットが、前記通気路で前記空気流にさらされる前記水の前記表面積を調節するための調節機構をさらに備える
ことを特徴とするＨＶＡＣシステム。
【請求項２８】
請求項２７に記載のＨＶＡＣシステムにおいて、
前記調節機構が、前記トレイに対して選択的に配設されるように構成され、それによって、前記通気路で空気にさらされる前記水の前記表面積を決定する蓋を含む
ことを特徴とするＨＶＡＣシステム。
【請求項２９】
請求項２８に記載のＨＶＡＣシステムにおいて、
所望の湿度レベルにしたがって前記蓋の配置を制御するための制御装置をさらに備える
ことを特徴とするＨＶＡＣシステム。
【請求項３０】
請求項２２乃至２９の何れか１項に記載のＨＶＡＣシステムにおいて、
給水ポートを介して前記水トレイに連結される給水ラインをさらに備える
ことを特徴とするＨＶＡＣシステム。
【請求項３１】
請求項３０に記載のＨＶＡＣシステムにおいて、
凝縮ドレンから前記トレイの方へ水を導くように構成されている凝縮ドレーナを備える
ことを特徴とするＨＶＡＣシステム。
【請求項３２】
請求項２９乃至３１の何れか１項に記載のＨＶＡＣシステムにおいて、
前記制御装置が、前記ＨＶＡＣシステムの作動開始に対応して、水の充填を開始するように作動する
ことを特徴とするＨＶＡＣシステム。
【請求項３３】
請求項２２乃至３２の何れか１項に記載のＨＶＡＣシステムにおいて、
前記トレイに、前記水トレイ内の前記水を排出するように構成されるドレン管路が設けられる
ことを特徴とするＨＶＡＣシステム。
【請求項３４】
ＨＶＡＣシステム請求項３３において、
前記ＨＶＡＣシステムの作動停止に対応して、前記水トレイの水の排出を開始するように作動する制御装置がさらに設けられる
ことを特徴とするＨＶＡＣシステム。
【請求項３５】
ＨＶＡＣシステム請求項２７において、
前記調節機構が、前記水トレイの前記水位を制御するように構成される水位調節器を含み、それによって、前記通気路で前記空気流にさらされる前記水の前記表面積を調節する
ことを特徴とするＨＶＡＣシステム。
【請求項３６】
請求項２２乃至３５の何れか１項に記載のＨＶＡＣシステムにおいて、
前記水トレイに配設され、その中の前記水を加熱するように構成され、それによって、前記通気路における前記空気の加湿を加速する加熱要素をさらに備える
ことを特徴とするＨＶＡＣシステム。
【請求項３７】
請求項３３に記載のＨＶＡＣシステムにおいて、
前記加熱要素が、前記水トレイの水を加熱するための、前記水トレイを対象とする前記ＨＶＡＣシステムの加熱気体ラインである
ことを特徴とするＨＶＡＣシステム。
【請求項３８】
請求項２２乃至３７の何れか１項に記載のＨＶＡＣシステムにおいて、
堆積するカルシウム沈着をそこから除去するための洗浄機構をさらに備える
ことを特徴とするＨＶＡＣシステム。
【請求項３９】
請求項３８に記載のＨＶＡＣシステムにおいて、
前記洗浄機構が、前記水トレイに堆積するカルシウム沈着を細かくするためのブラシを備える
ことを特徴とするＨＶＡＣシステム。
【請求項４０】
請求項３８に記載のＨＶＡＣシステムにおいて、
前記洗浄機構が、前記水トレイに堆積するカルシウム沈着を細かくするために、前記水トレイの表面の方へ高圧水を導くように作動する高圧散水ロッドを備える
ことを特徴とするＨＶＡＣシステム。
【請求項４１】
請求項２２乃至４０の何れか１項に記載のＨＶＡＣシステムにおいて、
前記トレイと流体連通し、それに洗浄液を軽蔑するために構成される補助リザーバをさらに備える
ことを特徴とするＨＶＡＣシステム。
【請求項４２】
請求項４１に記載のＨＶＡＣシステムにおいて、
前記洗浄液が、バクテリア堆積を防止するように構成される
ことを特徴とするＨＶＡＣシステム。
【請求項４３】
請求項４１に記載のＨＶＡＣシステムにおいて、
前記洗浄液がスケール洗浄液である
ことを特徴とするＨＶＡＣシステム。
【請求項４４】
請求項４１に記載のＨＶＡＣシステムにおいて、
前記洗浄液が消臭材を含む
ことを特徴とするＨＶＡＣシステム。
【請求項４５】
請求項２２の何れか１項に記載のＨＶＡＣシステムにおいて、
前記水トレイが、前記水トレイを傾けるために回転するように構成される軸の上に支持される
ことを特徴とするＨＶＡＣシステム。
【請求項４６】
請求項４５に記載のＨＶＡＣシステムにおいて、
前記軸およびモータの動作を制御するための制御装置と結合するモータを備える
ことを特徴とするＨＶＡＣシステム。
【請求項４７】
請求項２２に記載のＨＶＡＣシステムにおいて、
その上の水流が前記トレイを形成することを可能にするように構成される表面を有する、前記通気路の内部に配設される壁部分をさらに備える
ことを特徴とするＨＶＡＣシステム。
【請求項４８】
請求項４７に記載のＨＶＡＣシステムにおいて、
前記壁部分が傾斜壁であり、前記トレイがその上部に配設され、前記トレイからの水が、前記壁の低い部分に向けて、重力のもとで下方へ流すことができる
ことを特徴とするＨＶＡＣシステム。
【請求項４９】
請求項２２に記載のＨＶＡＣシステムにおいて、
前記通気路の内部に配設される傾斜壁部分をさらに備え、
前記トレイが、前記壁の前記幅に沿って定義されるチャネルの形態である
ことを特徴とするＨＶＡＣシステム。
【請求項５０】
限られた領域にＨＶＡＣシステムから送られる空気を加湿する方法において、
その中の水が通気路の空気流を加湿し、それによって前記限られた領域の湿度レベルを制御するように、前記ＨＶＡＣシステムの前記通気路内に水トレイを配設することと、
前記通気路で前記空気流にさらされる前記水の表面積を調節するための調節機構を形成することと
を含むことを特徴とする方法。
【発明の詳細な説明】
【技術分野】
【０００１】
ここで開示される主題は、一般的な加湿ユニットに関するものであり、特に、暖房、換気および空調（以下ＨＶＡＣ）のための加湿ユニットに関するものである。
【背景技術】
【０００２】
ここで開示される主題は、そのいくつかの例において、暖房、換気および空調（ＨＶＡＣ）システムのための加湿ユニットに関するものであり、より詳細には、それに限定するものではないが、既存のＨＶＡＣシステムに後付けするように使用可能である加湿ユニットに関するものである。
【０００３】
さまざまな加湿器が、家庭用または業務用暖房システムに接続されて、排出、加熱された気流の湿度レベルを上げるために使用されている。空気中の水分が、鼻腔の好ましくない乾燥と関連する不快感を抑制するということが知られているため、空気中の適切な湿度レベルにより、暖房を行っている部屋の居住者の快適度を上げることができる。さらにまた、空気水分の増加により、居住者はより低い温度レベルでより快適に感じることができ、それによって、暖房と関連するコストが減少するように使用することができる。
【０００４】
循環空気を加湿する蒸発冷房システムもまた、従来の空気循環装置によって提供される冷房を強めるために使用されることが知られている。いくつかの既知の蒸発冷房システムは、電動式プロペラと組み合わせた流体源によって作動し、水に浸したフィルタを通して空気流を引き入れる。任意選択的に、分離された、独立型ポンピングシステムが、流体を供給するために使用され、分離された空気循環装置によって提供される冷房を強める。
【０００５】
参照によって本明細書に組み込まれる「Ｈｕｍｉｄｉｆｙｉｎｇ  Ａｐｐａｒａｔｕｓ  ｆｏｒ  Ｗａｒｍ  Ａｉｒ  Ｄｕｃｔｓ  ａｎｄ  ｔｈｅ  Ｌｉｋｅ」と題される米国特許第３，８５５，３７１号明細書の内容は、温気暖房システムの主幹水平ダクトなどの空気搬送ダクトに取り外し可能に取り付けることができる霧化型または噴霧型加湿器組立体を記述する。加湿器組立体は、空気搬送ダクト内に完全に取り外し可能に設置するために開放された両端を有する長方形断面の細長いトンネル構造で支持される電磁噴霧ノズルおよび多層スクリーンを含む。
【０００６】
参照によって本明細書に組み込まれる「Ｈｕｍｉｄｉｆｉｅｒｓ  ｆｏｒ  ｆｏｒｃｅｄ  ａｉｒ  ｓｙｓｔｅｍｓ」と題される米国特許第４，００６，６７４号明細書の内容は、強制空気暖房システムで使用するための加湿器を記述する。加湿器は、空気レジスタ、出口、または拡散板に隣接した設置に適した水タンクを有するハウジングを含む。空気レジスタと連通するダクトが、水タンクへの空気の配送のためにハウジング内に設けられ、可撓性カーテンまたはバッフルが、前記ダクトを横切ってハウジング内に設置されて、前記タンクの水に延在している。その配置により、ダクトに入る押し込み空気を曲げて、上昇させて、送り出して、外側に逃がすために水面より上に上げる必要がある。装置は、押し込み空気床面、壁または頭上のレジスタ、出口または拡散板に適応可能である。
【０００７】
参照によって本明細書に組み込まれる「Ｆｒｅｅ  ｆｌｏｗ  ｈｕｍｉｄｉｆｉｅｒ」と題される米国特許第４，７４１，８７１号明細書の内容は、温気強制暖房システムと組み合わせて使用するための加湿器を記述する。加湿器は、既存の水源からの一定の水位を維持し、フロート制御弁によって制御されるメインハウジング（水室）から成る。水は、温水加熱コイルによって加熱される。温気は、主温気流に向かい、通過し、そして戻る。このプロセスの間、温かい乾燥空気は、水分を吸収して飽和し、温気供給ダクトに戻されて、混合され、全体システムを通して湿気を提供する。空気および湿気の量は、入口ダンパによって制御することができ、それは加湿器の中を流れる空気の量を調節する。
【０００８】
参照によって本明細書に組み込まれる「Ｃｅｎｔｒａｌ  ａｉｒ  ｄｕｃｔ  ｓｃｏｏｐｅｒ  ｈｕｍｉｄｉｆｉｅｒ」と題される米国特許第４，９８６，９３７号明細書の内容は、暖房システムの空気ダクトに取り付けられる超音波加湿器システムを記述する。振動器が、霧箱の中に霧を作成するようにリザーバ内の水を励起する。パネルは、空気流の霧との相互作用のために、空気流を上流の炉から霧箱に導く。この相互作用は、湿度レベルを増加させるように、空気流の水分量を増加させる。リードスイッチが設けられており、リザーバ内レベルが低い場合、および／または、炉から空気流が配送されない場合は、振動が起きないようにする。
【０００９】
参照によって本明細書に組み込まれる「Ｈｕｍｉｄｉｆｉｅｒ  ｆｏｒ  ｕｓｅ  ｗｉｔｈ  ｓｏｕｒｃｅ  ｏｆ  ｈｅａｔｅｄ  ａｉｒ」と題される米国特許第６，８５０，６９８号明細書の内容は、加熱空気の発生源近くへの配置に好適である独立型加湿器を記述する。任意選択的に、加湿器は、住宅の床面レジスタ上に配置される。加湿器は、水を保持するためのメインリザーバ、リザーバ全体に延在するのに十分な長さを有するロッド、およびロッドを支持するパネルを有する。使い捨てのペーパータオルがロッドに掛けられ、ペーパータオルの一端が、リザーバ頂部の開口を通して、リザーバ内の水に挿入される。発生源から流れる空気がペーパータオルに当たって、水分を奪う。追加のリザーバは、弁を開閉するフロートによって制御される弁を有する送水管からメインリザーバに追加の水を自動的に供給するために使用することができる。
【発明の概要】
【００１０】
ここで開示される主題の１つの態様によると、その中に水を保持するように、そして通気路の気流を加湿するために構成される、ＨＶＡＣシステムの通気路に配設されるトレイを備える暖房、換気および空調（ＨＶＡＣ）システムのための加湿ユニットが提供される。加湿ユニットは、ＨＶＡＣの通気路に一体化させるための独立型機器として提供することができ、または、ＨＶＡＣシステムの通気路に一体的に形成することができる。
【００１１】
加湿ユニットは、中央ＨＶＡＣシステムの配管、または、ダクトレスシステム、分割システム、窓型エアコン、または携帯型システムなどの単一の部屋単位の通気路に、一体化させるまたは取り付けるように構成することができる。
【００１２】
加湿ユニットは、例にしたがってトレイ上に配設される移動する蓋の形態とすることができるトレイ制御において、空気流の水への接触を制御することによって、湿度レベルを提供することができる。
【００１３】
加湿ユニットは、その通気路に流れる気流の動力学を利用することによって、ＨＶＡＣシステムの空気蒸気に湿気を加える受動動作を可能にする。
【００１４】
ここで開示される主題の例によると、加湿ユニットは、気流が外へ押し出されるベントに近位のダクトレスＨＶＡＣユニットのエアハンドラに一体化される。加湿ユニットは、水を保持するためのトレイ、チャネル、および／または箱を含むことができる。トレイは、気流が吹き出すエアハンドラのベントのフレームと一体とすることができる。エアハンドラのフレームは、加湿ユニットを設置するための専用空間および／またはベースを提供することができる。任意選択的に、既存のエアハンドラのフレームは、専用空間および／またはベースを提供するために変更される。トレイは、１つまたは複数の給水口および／または排水口をさらに含むことができる。
【００１５】
加湿ユニットは、暖房、換気、さらに冷房の間、ＨＶＡＣシステムから流出する気流の湿度レベルを上げるために使用可能である可能性がある。暖房中、ＨＶＡＣシステムの吹き出される温気流は、気化する水で満たされたトレイの上を通過する。本発明者は、空気流の速度および気流の温度は両方とも、ベントを出るときに比較的高いため、比較的高い蒸発率が、ベントの近くで加湿ユニットをゆっくり進むことによって実現できることを見出した。
【００１６】
任意選択的に、ＨＶＡＣシステムが冷房モード、たとえば空調モードで作動する間、冷房中に凝縮された水は、トレイの方に導かれて、ＨＶＡＣシステムから流出する気流を加湿するために使用される。しかし、蒸発率は通常、冷房中は低く、本発明者は、一部の水が気流に吸収されることを見出した。任意選択的に、ＨＶＡＣシステムが換気モードで作動し、換気される空気が比較的暖かく、乾燥している場合、ＨＶＡＣシステムは加湿ユニットとともに、蒸発冷房システムとして作動させることができ、換気される空気に対して冷却および加湿の両方を行う。
【００１７】
ここで開示される主題の別の例によると、加湿ユニットは、ミニダクトまたはダクトＨＶＡＣユニットのグリルおよび／または配管コネクタに一体化される。加湿ユニットは、グリルまたは配管コネクタと一体である、水を保持するためのトレイを含むことができる。本明細書で使用される場合、用語「配管コネクタ」は、ダクト管をグリルに連結するために使用される部分を指す。トレイは、管を連結できる１つまたは複数の給水口および／または排水口を含むことができる。
【００１８】
ここで開示される主題のさらなる例によると、加湿ユニットは、中央ＨＶＡＣシステムの主空気流ダクトチャネルに一体化され、流出する気流を複数の異なるダクトに分割する前に、流出する気流を加湿するために使用可能である。
【００１９】
ここで開示される主題のさらなる態様によると、限られた領域へ空気流を導くように構成される通気路を有するＨＶＡＣシステムが提供され、システムは、通気路に配設されて、その中に水を保持するように構成されるトレイを有する加湿ユニットを備え、トレイは、水が前記通気路の空気流を加湿し、それによって限られた領域の湿度レベルを制御するように、前記通気路にとても配設される。
【００２０】
水トレイは、通気路の壁部分と一体的に形成することができる。通気路はグリルを有するダクトチャネルを含むことができ、水トレイは前記グリルと一体的に形成される。通気路は、配管コネクタを含むことができ、水トレイはその中に一体化される。
【００２１】
ＨＶＡＣシステムは、中央ダクトを有する中央空気システムとすることができ、水トレイ缶は、前記ダクトに処理する。
【００２２】
加湿ユニットは、通気路で空気流にさらされる水の表面積を調節するための調節機構を含むことができる。調節機構は、トレイに対して選択的に配設されるように構成される蓋を含むことができ、それによって、通気路で空気にさらされる水の表面積を決定する。
【００２３】
ＨＶＡＣシステムは、所望の湿度レベルにしたがって蓋の配置を制御するための制御装置をさらに含むことができる。ＨＶＡＣシステムは、給水ポートを介して水トレイに連結される給水ラインを含むことができる。ＨＶＡＣシステムは、凝縮ドレンからトレイの方へ水を導くように構成されている凝縮ドレーナを含むことができる。制御装置は、ＨＶＡＣシステムの作動開始に対応して、水の充填を開始するように作動させることができる。
【００２４】
トレイには、水トレイ内の水を排出するように構成されるドレン管路を設けることができる。制御装置を設けることができ、ＨＶＡＣシステムの作動停止に対応して、水トレイの水の排出を開始するように作動させることができる。
【００２５】
調節機構は、水トレイの水位を制御するように構成される水位調節器を含むことができ、それによって、通気路で空気流にさらされる水の表面積を調節する。
【００２６】
ＨＶＡＣシステムは、水トレイに配設され、その中の水を加熱するように構成される加熱要素をさらに備えることができ、それによって、通気路における空気の加湿を加速する。加熱要素は、水トレイの水を加熱するための、水トレイを対象とするＨＶＡＣシステムの加熱気体ラインである。
【００２７】
ＨＶＡＣシステムは、堆積するカルシウム沈着をそこから除去するための洗浄機構をさらに備えることができる。洗浄機構は、水トレイに堆積するカルシウム沈着を細かくするためのブラシを含むことができる。洗浄機構は、水トレイに堆積するカルシウム沈着を細かくするために、水トレイの表面の方へ高圧水を導くように作動する高圧散水ロッドを備える。ＨＶＡＣシステムは、通気路の内部に配設される壁部分をさらに備えることができ、その上の水流が前記トレイを形成することを可能にするように構成される表面を有する。壁部分は傾斜壁とすることができ、トレイがその上部にあるようにすることができ、トレイからの水は、壁の低い部分に向けて、重力のもとで下方へ流すことができる。
【００２８】
加湿ユニットは、以下の特徴の何れかを有するように構成されてもよい。
・部分的および完全に開閉可能であり、気流への水の接触を変化させ、それによって、湿気ユニットで実現される湿度レベルを変更する取り外し可能なカバー。
・角度を変えることによってトレイを傾け、それによって、空気流と接触する水の表面積を制御するための機構。
・部屋の湿度レベルを検知するための湿度センサ。センサは通気路内部の水の接触領域を判定する加湿ユニットに連結される。
・ＨＶＡＣユニットがその冷房モードであるとき、加湿ユニットを停止させるための手動または自動の機構。
・水の接触領域を調節し、それによって、空気中の湿度レベルを調節するための調節機構。
・所定の閾値より下のその中の水位に応じてトレイを充填するための充填機構。やすり仕上げ機構は、冷房モードの間に形成される凝縮水を収集するように構成できる。
・所定の閾値より上のその中の水位に応じてトレイの排水を行うための排水機構。
・トレイと流体連通し、それに洗浄液を軽蔑するために構成される補助リザーバ。
・洗浄液は、バクテリア堆積を防止するように構成することができる、または、スケール洗浄液とすることができる、または、消臭材を含むことができる。
【図面の簡単な説明】
【００２９】
本明細書に開示される主題をよりよく理解し、それが実際にどのように実行可能であるかを例示するために、ここで例は、非限定的な例としてのみ、添付図面を参照して記述される。
【００３０】
【図１】図１Ａは、ダクトレスＨＶＡＣユニットのための既知のエアハンドラの簡略図であり、図１Ｂは、ここで開示される主題のいくつかの例による、加湿ユニットを有するエアハンドラの簡略図である。
【図２】図２は、ここで開示される主題の例による、ダクトレスＨＶＡＣシステムのエアハンドラにおける、加湿ユニットの任意選択の給水および排水機能の簡略図。
【図３】図３は、ここで開示される主題のいくつかの例による、ＨＶＡＣシステムのダクトチャネルから延在するグリルに一体化される加湿ユニットの簡略図である。
【図４】図４は、ここで開示される主題のいくつかの例による、ＨＶＡＣシステムのダクトチャネルとグリルとの間のコネクタに一体化される加湿ユニットの簡略図である。
【図５】図５は、ここで開示される主題のいくつかの例による、中央空気ＨＶＡＣシステムと一体化される加湿ユニットの簡略図である。
【図６Ａ】図６Ａは、ここで開示される主題の別の例による、加湿ユニットを有するＨＶＡＣシステムの簡略図である。
【図６Ｂ】図６Ｂは、図６ＡのＨＶＡＣシステムの分解図である。
【図６Ｃ】図６Ｃは、図６ＡのＨＶＡＣシステムの側断面図である。
【図７Ａ】図７Ａは、図６Ａの加湿ユニットの正面斜視図である。
【図７Ｂ】図７Ｂは、図７Ａの加湿ユニットの分解図である。
【図７Ｃ】図７Ｃは、図７Ａの加湿ユニットのポンピング機構の拡大図である。
【図７Ｄ】図７Ｄは、図７Ａの加湿ユニットの調節機構の拡大図である。
【図８】図８は、ここで開示される主題のいくつかの例による、任意選択の傾斜の特徴を有する加湿ユニットの簡略図である。
【図９Ａ】図９Ａは、加湿ユニットのトレイに配設される、ここで開示される主題の１つの例による、側断面図折りたたまれたボール紙である。
【図９Ｂ】図９Ｂは、図９Ａのボール紙の側断面図である。
【図９Ｃ】図９Ｃは、図９Ａのトレイの側面斜視図である。
【図１０Ａ】図１０Ａは、ここで開示される主題の別の例による、ボール紙の上面図である。
【図１０Ｂ】図１０Ｂは、ここで開示される主題の別の例による、ボール紙の斜視図である。
【図１１Ａ】図１１Ａは、ここで開示される主題の別の例による、加湿ユニットを有するＡＣユニットの側断面図である。
【図１１Ｂ】図１１Ｂは、図１１Ａの加湿ユニットの拡大図である。
【００３１】
ここで図１Ａおよび１Ｂを参照すると、ダクトレスＨＶＡＣシステムのための既知のエアハンドラ、および、ここで開示される主題のいくつかの例による、加湿ユニットを有するエアハンドラの簡略図がそれぞれ示される。分割ダクトレスＨＶＡＣシステムの既知のエアハンドラおよび／または蒸発器ユニット１０１は通常、調和空気、たとえば加熱、冷却、または換気空気が放出および／または吹き出されるベント１１０を含む。通常、ベント１１０は、エアハンドラ１０１のカバーの一部として形成されるフレーム１１２で取り囲まれて、および／または定義される。通常、方向ブレード１１５の列は、所望の方向、たとえば左または右に、ベント１１０を通して放出される空気を導くように制御することができる。ベント１１０は、垂直方向、たとえば上下に、空気流の方向を制御するために回転させることができるフラップ１２０で覆うことができる。エアハンドラ１０１が動作モードにない間、たとえば、エアハンドラ１０１のスイッチが切られている間、フラップ１２０は閉じることができる。
【００３２】
ここで開示される主題のいくつかの例によると、ＨＶＡＣシステムのエアハンドラ１０５に一体化される加湿ユニット１５０が提供される。ここで開示される主題のいくつかの例によると、加湿ユニット１５０は、ベント１１１に設置される。通常、ベント１１１の範囲を定義するフレーム１１３は、加湿ユニット１５０に対応するために、フレーム１１２（図１Ａ）と比較して拡張されている。いくつかの例において、加湿ユニット１５０は、方向ブレード１１５の下、およびフレーム１１３の内部に設置される。
【００３３】
ここで開示される主題のいくつかの例によると、加湿ユニット１５０は、水を収集および／または保持するための、トレイおよび／または水室１６０を含む。任意選択的に、トレイ１６０は、水および／またはその他の流体をトレイ１６０から取り入れるおよび／または排出することができる１つまたは複数の入口および／または出口ポートを含む。ここで開示される主題のいくつかの例によると、トレイ１６０は、フレーム１１３の一部として形成される。任意選択的に、フレーム１１３は、成形工程によって高分子物質によってから形成され、トレイ１６０は、フレーム１１３の一部として成形される。あるいは、トレイ１６０は、フレーム１１３とは別の部品で、フレーム１１３に挿入される。ここで開示される主題のいくつかの例によると、空気流出１８０がエアハンドラ１０５から放出されると、それはトレイ１６０に収容されている水の表面をかすめ、加湿されて、たとえば水蒸気で飽和する。いくつかの例において、加湿ユニット１５０に対する給水は、主送水管またはその他の水源、たとえばタンクに任意選択的に連結する給水管１７０によって提供される。任意選択的に、給水管１７０にはトレイ１６０への給水を止めるための安全弁１７５が取り付けられる。任意選択的に、安全弁１７５がエアハンドラ１０５のハウジング内に取り付けられる。任意選択的に、トレイ１６０への給水を濾過するために、フィルタが管１７０に取り付けられる。任意選択的に、トレイ１６０は手動で水が充填される。
【００３４】
トレイ１６０は、ベント１１１の略全長にわたって延在するように寸法決めすることができ、その結果、空気流出１８０は、トレイ１６０に収容される水と十分な界面を有する。エアハンドラ１０５の寸法に応じて、トレイ１６０の高さは１〜５ｃｍにわたる可能性があり、トレイ１６０の深さは１〜５ｃｍにわたる可能性がある。トレイ１６０は、約１００〜４００ｍｌの水を保持するように寸法決めすることができる。ここで図２Ａおよび２Ｂを参照すると、給水管１７０を設けて、トレイ１６０に水を供給するように構成することができ、トレイ１６０内の水の所望のレベルおよび／または量が維持される。給水管１７０は、加湿ユニット１５０の制御装置２００またはトレイ１６０のフロート弁によって制御できる弁１７２と結合させることができる。弁１７２および安全弁１７５は、一体の単一モジュールに一体化することができる。図２ｂのいくつかの例において、凝縮水ドレン管１７７の水は、ＨＶＡＣシステムが冷房モードである間、凝縮水ドレン管１７７がトレイ１６０に水を供給できるように、トレイ１６０を介して、および／または、トレイ１６０に水を排出する。任意選択的に、ＨＶＡＣシステムの凝縮部のガス管は、トレイ１６０に延在し、収集された水を温めるために使用される。
【００３５】
加湿ユニット１５０は、トレイ１６０から水を排出するためにドレン１７５を含むことができる。任意選択的に、トレイ１６０の両側にある２つのドレン１７５は、トレイ１６０の角度による排水の問題を避けるために使用される。ドレン１７５は、トレイからの水の排出を可能にするように、通常、冷房中に形成される凝縮水を建物または住宅の外に導く管１７６と連結することができる。あるいは、加湿ユニットは、専用管を使用して、トレイ１６０から下水道および／または建物あるいは住宅の外に水を排出する。通常、ドレン１７５は、加湿ユニット１５０の制御装置２００によって作動させることができる、ドレン１７５からの水流を制御するための弁１７９と結合されている。加湿ユニット１５０は、凝縮水ドレン管路１７６に排水するオーバーフロードレン（図示せず）をさらに含むことができる。ＨＶＡＣシステムが冷房モードに設定されず、したがって凝縮水が供給されない場合、システムには、たとえば、周囲の外側からトレイに水を供給するように、凝縮機器を設けることができることが理解される。
【００３６】
加湿ユニット１５０が、通常は部屋の中のエアハンドラと外のコンプレッサとを含む分割ダクトレスＨＶＡＣシステムに一体化されているように、図１、２Ａ、および２Ｂに記載されているが、同様の構造は、たとえば単一のユニット空気調和機、たとえば空調窓ユニットで使用することができることに留意されたい。
【００３７】
ここで図３を参照すると、加湿ユニットは、ＨＶＡＣシステムのダクトチャネルから延在するグリルに一体化することができる。いくつかの例によると、加湿ユニットは、ＨＶＡＣシステムの配管に一体化される。加湿ユニット２５０のトレイ２６０は、部屋の壁、たとえば落天井の壁に設置されるグリルおよび／またはレジスタ２１０上に設置および／または一体化することができる。空気流出２８０がグリル２１０から、たとえば一般に水平方向に吹き出すと、それは加湿ユニット２５０のトレイ２６０に収容されている水の表面をかすめ、加湿されて、たとえば水蒸気で飽和する。いくつかの例において、トレイ２６０はグリル２１０に一体であり、トレイ２６０に水を受けるおよび／または排出するための１つまたは複数の排水ポートおよび／または給水ポートを含む。任意選択的に、グリル２１０は、トレイ２６０を画定する空洞によって成形される。任意選択的に、グリル２１０の深さ、たとえば壁に入るそれ寸法は、トレイ２６０に対応するために、グリルの既知の寸法に対して増加する。任意選択的に、トレイ２６０は、製造中にグリル２１０上に固定される別個の部分である。通常は、トレイ２６０は、グリル２１０のベント開口部の長さにわたって延在し、通常は、見えないようにグリル２１０の方向ブレードの内側にある。いくつかの例において、トレイ２６０の高さ、奥行きはどちらも、０．５〜３ｃｍであるが、トレイ２６０の面積は通常、グリル２１０のサイズによって変化する。任意選択的に、天井グリルの場合、トレイ１６０はグリルの方向ブレードに一体化される。
【００３８】
トレイ２６０への給水は、送水管２７０によって提供することができる。任意選択的に、送水管２７０は、水源、たとえば主送水管に連結され、ダクト管２２０を通ってトレイ２６０まで延在する送水管２７０。あるいは、送水管２７０は、ダクト管２２０の外側に設置することができ、トレイ２６０のポート（図示せず）を介してトレイ２６０に連結される。水は、手動でトレイ２６０を出願することによって、充填することができる。ここで開示される主題のいくつかの例によると、ドレン管路２８２を有するドレン２７５が、必要に応じてトレイから水を排出するために、トレイ２６０に連結される。通常、ドレン管路２８２を有するドレン２７５は、排水を制御するための弁と結合される。任意選択的に、ドレン管路２８２は、建物の下水道に導かれる、または、その他の場合、屋外に排水を行う。加湿ユニット２５０の任意選択機能は、図６〜８を参照して、より詳細に本明細書に記述される。
【００３９】
ここで図４を参照すると、ここで開示される主題のいくつかの例による、ＨＶＡＣシステムのダクトチャネルとグリルとの間のコネクタに一体化される加湿ユニット３５０が示される。加湿ユニット３５０のトレイ３６０は、ＨＶＡＣシステムのダクトチャネル３２０とグリル３１０との間の配管コネクタ３１０に設置および／または一体化され、配管コネクタの少なくとも一部は水平に、たとえば落天井に平行に設置される。任意選択的に、グリル３１０は、グリルがつけられた壁である。あるいは、略水平のダクトチャネル３２０からの空気流を、略垂直方向下向きに導く天井グリルが使用される。
【００４０】
通常は、トレイ３６０は、トレイの壁がコネクタ３１０を通って吹く空気流３８０を妨げないように設置される。任意選択的に、トレイ３６０の壁は外壁上の凝縮を避けるために断熱される。空気流出３８０がグリル３１０を通って水平方向に吹き出すと、それは加湿ユニット３５０のトレイ３６０に収容されている水の表面をかすめ、加湿されて、たとえば水蒸気で飽和する。トレイ３６０はコネクタ３１０に一体とすることができ、トレイ３６０に水を受けてかつ排出するための排水ポートおよび／または給水ポートを含む。任意選択的に、コネクタ３１０はトレイ３６０を画定する空洞によって成形される。任意選択的に、トレイ３６０は、製造および／または組立中に、コネクタ３１０上に固定される別個の部品である。任意選択的に、トレイ３６０は、ダクト管３２０の直径にわたって実質的に延在するように寸法決めされる。任意選択的に、トレイ３６０は、コネクタ３１０の長さにわたって実質的に延在するように寸法決めされる。任意選択的に、トレイの深さは１〜５ｃｍであるが、その深さは通常、ダクトコネクタおよび／またはダクト管のそれぞれのサイズによって異なり、５ｃｍより深くすることができる。
【００４１】
トレイ３６０への給水は、送水管３７０によって提供することができる。任意選択的に、送水管３７０は、水源、たとえば主送水管に連結され、送水管３７０は、ダクト管３２０を通ってトレイ３６０まで延在する。あるいは、送水管３７０は、ダクト管３２０の外側に設置され、トレイ３６０のポート（図示せず）を介してトレイ３６０に連結される。さらに、ドレン３７５を設けることができ、必要に応じてトレイから水を排出するために、トレイ３６０に連結されるドレン管路３８２を含むことができる。通常、ドレン管路３８２を有するドレン３７５は、排水を制御するための弁と結合される。任意選択的に、ドレン管路３８２は建物の下水道に導かれる、または、その他の場合、屋外に排水を行う。加湿ユニット３５０の任意選択機能は、図６〜８を参照して、より詳細に本明細書に記述される。
【００４２】
ここで図５を参照すると、ここで開示される主題のいくつかの例による、中央空気ＨＶＡＣシステムと一体化される加湿ユニット４５０の簡略図が示される。加湿ユニット４５０のトレイ４６０は、空気流が複数の管路４２１、４２２、４２３、および４２４に分かれる前に、中央ＨＡＶＣシステムの主管路４２０上に設置および／または一体化される。任意選択的に、トレイ４６０は、主ダクト管４２０の直径にわたって実質的に延在するように寸法決めされる。トレイ４６０への給水は、送水管４７０によって提供することができ、ドレン管路４８２によって排水される。加湿ユニット４５０の任意選択機能は、図６〜８を参照して、より詳細に本明細書に記述される。
【００４３】
ここで図６を参照すると、加湿ユニット５５０は、冷房ユニット５１０と空気出口開口部５１４を区画するカバー５１２とを有するＡＣユニット５００が取り付けられる壁と一体化することができる。図７Ａおよび７Ｂに種がまかれるように、加湿ユニット５５０は、トレイ５６０と、トレイ５６０に水を供給するためのポンピング機構５７０とを含む。ポンピング機構５７０は、ＡＣユニット５００に結合されるリザーバ５５５からの水を圧送するように構成することができる。
【００４４】
図７Ｃに示されるように、ポンピング機構５７０は、水などの液体を圧送するように構成されるポンプ５７２を含むことができ、リザーバ５５５を形成する。示される例によると、ポンプ５７２は、管５７５を介して補助リザーバ５７４に結合され、それは洗浄液を含むことができ、リザーバ５５５に結合される。このように、ポンプは、リザーバ５５５からの水、ならびに補助リザーバ５７４からの洗浄液を吸い込む。洗浄液は、トレイ５６０内部へのバクテリア堆積を防止するように構成される任意の既知の液体とすることができ、または、スケール洗浄液または消臭材とすることができ、さらに、洗浄液は、部屋で空気を浄化するためのその他の添加剤、匂い添加剤、またはそれが部屋で噴霧するよう望まれるその他の化学製品を含むことができる。
【００４５】
トレイには、ポンプがトレイの水の品質の低下に応じて補助リザーバ５７４から洗浄液を吸い込むことができるように、その中の水の品質を検知するためのセンサを設けることができることが理解される。
【００４６】
例によると、トレイは、定期的に取り外して洗浄できるような、取り外し可能なトレイとすることができる。
【００４７】
例によると、トレイは、形成された形態の耐スケールスケール材料材料とすることができる。
【００４８】
例によると、トレイは、空気中のダストを水面で収集できるように、そして、水が空気の洗浄を促進するように、空気流に対して配設できることが理解される。
【００４９】
例によると、ポンプは、ドリッパー要素５８０に水を提供するように構成される電動弁５７８に結合される。ドリッパー要素５８０は、水の小さい流れ、すなわち水のしずくをトレイ５６０に流すように構成される。電動弁５７８はポンプの動作を制御し、流す洗浄液の量を指示するように構成することができる。ポンピング機構５７０は、ドア５８４が設けられるハウジング５８２で覆うことができる。
【００５０】
例によると、ポンピング機構５７０は、管５６２を介してトレイ５６０に結合される排水ポンプ５７６をさらに含む。排水ポンプは、トレイの水を排出することに構成されて、タップシステムに結合することができ、または、必要に応じて、排出された流体をボウルに導くために使用できる管に結合することができる。水の温度が所定の閾値、たとえば空気流の適切な加湿ができないレベルを超えるとき、排水ポンプは、トレイから排水するために起動することができる。後者の場合ポンピング機構５７０は、空気流の連続的な加湿を可能にするように、トレイに新鮮な水を提供するように構成することができる。
【００５１】
トレイ５６０には、水の接触領域を調節するための調節機構が設けられ、それによって、空気中の湿度レベルを調節することができる。調節機構は、部屋の湿度レベルに応じて選択的に開閉するように構成される取り外し可能な蓋５０５を含むことができる。取り外し可能な蓋には、作動機構５３０を設けることができる。
【００５２】
ここで図７Ｄを参照すると、作動機構５３０は、蓋５０５が取り付けられる対応するはめば歯車５２４に係合するように構成されて、その上に取り付けられるはめば歯車５３２を有するモータ５３１を含むことができる。モータ５３１が起動されると、はめば歯車５３２は１つの方向に回転し、対応するはめば歯車５２４および蓋５０５を反対の方向に回転させる。この例による蓋５０５は、対応するはめば歯車５２４の回転に応じて、蓋５０５がトレイ５６０のまわりを回転したような、半円形カバーとして構成される。このように、蓋５０５の配置は、トレイ５６０を参照して決定することができ、ＡＣユニットの通気路で空気にさらされる水の表面積もそうである。
【００５３】
対応するはめば歯車５２４缶は、その周縁の一部についてのみ、歯５２６を定義したことが理解される。このように、モータ５３１が回転し、はめば歯車５３２の歯が歯５２６に係合するとき、対応するはめば歯車５２４および蓋５０５は、同様に回転する。はめば歯車５３２の歯が、歯を含まない対応するはめば歯車５２４の周縁の領域に到達すると、対応するはめば歯車５２４および蓋５０５の回転が停止する。したがって、対応するはめば歯車５２４上の歯の量は、蓋５０５の最大回転を決定し、完全に閉じたとき、または、完全に開けたときの蓋の損傷を防ぐ。
【００５４】
いくつかの例において、加熱要素（図示せず）が、トレイの水を加熱および／または消毒するために、トレイ５６０に導入される。任意選択的に、加熱要素は、トレイ５６０の水の蒸発を促進するために作動させることができる。トレイ５６０に、取り外し可能な蓋５０５を取り付けることができる。加湿ユニットによって提供される湿度レベルは、取り外し可能な蓋５０５の位置を制御することによって制御できる。制御装置は、取り外し可能な蓋５０５を部分的に閉じるように構成され、加湿器５５０によって提供される湿度レベルを下げることができる。任意選択的に、ＡＣユニット５００が作動していない、たとえばスイッチが切られている間、制御装置は、取り外し可能な蓋５０５を完全に閉じることができ、その結果、使用されていない間、水および／またはトレイは清潔なままである。任意選択的に、湿度センサ（図示せず）、たとえば湿度計は、部屋の湿度レベルを検出して、加湿ユニット５５０によって提供される湿度レベルを制御するために制御装置への入力を提供するために使用される。湿度センサは、エアハンドラ内、ＡＣユニット５００のサーモスタットの近く、および／または暖房または冷房が入っている部屋のどこにでも、設置することができる。
【００５５】
別の例によると、調節機構は、水トレイで水位を検知して、制御するように構成される水位調節器を含むことができ、それによって、通気路で空気流にさらされる水の表面積を調節する。
【００５６】
トレイ５６０には、トレイ５６０の内表面に堆積する可能性があるカルシウム沈着を細かくするための１つまたは複数の機構を取り付けることができる。任意選択的に、ブラシ（図示せず）を、トレイからスケールを除去するために設けることができ、ブラシは、トレイの床面に接触するようにトレイに配設することができる。ブラシは、振動する圧電素子および／またはブラシを移動させるモータで作動させることができ、その結果、堆積したカルシウム沈着は細かくなる。あるいは、高圧散水ロッドを、給水路に流体連結することができ、散水ロッドから放出される高圧水は、トレイ５６０の壁および床面上に堆積したカルシウム沈着を細かくする。トレイ５６０には、タンク５６０の水を軟化させる、水を消毒する、および／または水に芳香を加えるための錠剤を保持するために使用可能であるバスケット（図示せず）が取り付けられる。任意選択的に、バスケットは、制御可能に使用することができる取り外し可能なカバーを含むことができ、バスケットをタンク５６０で水にさらす。
【００５７】
トレイには、水をかきまぜるための手段、たとえばモータに連結される小さいタービン、トレイ内部の流れ発生装置、またはポンプをさらに設けることができ、このようにして水の上面は絶えずかき回され、水面の加熱は抑えられる。水面の温度を特定の閾値の以下に維持することにより、空気流の加湿プロセスを助けることができることが理解される。タービンは、トレイの水面の温度の上昇に応じてのみ、起動させることができる。別の例によると、タービンは、トレイの水の蒸発を減少させるように起動させることができる。
【００５８】
排水ポンプ５７６を設けることができ、花粉嚢ユニットのスイッチが切られていることを検知することで、トレイ５６０の排水を開始するように使用可能である可能性がある。任意選択的に、制御装置は、ＡＣ  ｕｎｉｔ５００のスイッチが切られていることを検知することで、ブラシおよび／または散水ロッドによるトレイ５６０の洗浄を開始するように使用可能である。任意選択的に、制御装置は、全体的なユニットのスイッチが入っていることを検出することで、および／または、湿度センサからの入力に応じて、トレイ５６０への水の充填を開始するように使用可能である。任意選択的に、カルシウム沈着がドレンの近くに集められるように、トレイは傾斜する。
【００５９】
ここで開示される主題のいくつかの例によると、カバーは丸めることができ、または、カバーを異なる範囲、たとえば部分的または完全に開けるように折りたたむことができる１つまたは複数のブレードから形成することができる。
【００６０】
ここで図８を参照すると、別の例によるトレイ５６０が示される。トレイ５６０は、トレイ５６０を所望の角度にタイルを張るために回転できる軸５１３によってで支持される。任意選択的に、モータは、軸を回転させるために軸５１３と通じている。任意選択的に、さまざまな傾き角が、加湿ユニット５５０によって提供される湿度レベルを制御するために使用される。任意選択的に、傾斜トレイ５６０は、トレイ５６０の水の表面積の変化を提供し、それによって、加湿ユニット５５０によって提供される湿度レベルを変化させる。通常、より大きい表面積は湿度を増加させ、一方、より小さい表面積は湿度を減少させる。任意選択的に、空気流から離れる傾斜トレイ５６０は、提供される湿度レベルを減少、または、加湿動作を停止させ、一方、空気流に向かう傾斜トレイ５６０は、加湿ユニット５５０によって提供される湿度レベルを増加させる。任意選択的に、傾斜の特徴は、蓋の所定の位置に使用される。先の例において、加湿システムは、通過する空気と換気システムの内部に配設される水の表面との接触を提供し、それによって、空気を加湿するように構成される。しかし、水から空気に転送される水分の量は、空気と水との間の接触面の面積に比例することが理解されるであろう。したがって、部屋の十分な空気湿度を実現するために、加湿システムのトレイの寸法を越えて、接触面積を増加させることができる。
【００６１】
例によると、表面積の増加は、通過する空気の水との接触面積を著しく増加させるために、ボール紙などの多孔性親水材料を利用することによって実現することができる。
【００６２】
ここで図９Ａを参照すると、トレイ６０５は、水６０６を、折りたたまれたボール紙６００とともにその中に保持するように構成することができる。ボール紙６００は、水６０６をその中に吸収するように構成され、その折りたたみ構造により、大きい表面積を定義でき、したがって、水粒子の空気との表面積を増加させる。ボール紙６００の折りたたみ構造は、一方で、水をその中に吸収することができ、他方で、空気形態ＨＶＡＣシステムが折り目の間に形成される間隙６０７の中を流れることができるように構成されることが理解される。ボール紙６００は、折り目がＨＶＡＣシステムの空気流の方向に垂直であるように、または、空気がその間に形成される間隙６０７の中を流れるように、トレイ６０５内に配設することができる。
【００６３】
水の移動を改善するために、濡れ性を有して、同時に湿潤状態で剛性を維持するさまざまなボール紙を選択することができる。水に特定の界面活性剤を添加することも可能であり、それによって濡れが増加し、水分の移動が改善される。
【００６４】
図９Ｂに示されるように、ボール紙６００缶は、内層６０２と、外層６０４と、それを通して毛管水移動を提供するように構成される、その間に配設される波形層６０３とを含む。
【００６５】
別の例によると、図１０Ａに示されるように、ボール紙６３０には、空気がその中を流れることができ、それによってボール紙のより多くの表面に接触し、それによって湿気を蓄えることができるような、複数の開口部６３５を設けることができる。
【００６６】
さらなる例によると、図１０Ｂに示されるように、ボール紙６４０には、空気がボール紙６４０の上部を通って流れることができ、それによってボール紙のより多くの表面に接触し、それによって湿気を蓄えることができるような、各折り目の分けられた頂部に設けられる、複数の開口部６４２を設けることができる。
【００６７】
水の加湿を改善する他の技術の形態は、水の一部を加熱および蒸発させること、または、水粒子を形成するために超音波を適用することなどを利用できることが理解される。
【００６８】
他の例によるトレイは、氷粉末で満たすことができ、あるいは、粉砕されたまたは粉末状の氷も空気を冷却することができる。
【００６９】
図１１Ａおよび１１Ｂに示されるように、さらなる例に応じて、ＡＣユニット６７０には、空気ダクト内に配設される壁６８２に沿って水などの流体流れを提供するように構成される加湿ユニット６８０を設けることができる。あるいは、ここで傾斜壁として示される壁６８２は、垂直面または１つとすることができ、その上部に提供される水は、重力のもとで、その下部に向けて下へ流れる。壁６８２は、ＡＣユニットの通気路の内壁の１つとできることが理解される。
【００７０】
水は、壁６８２の上部で水路６８１を形成することによって、壁６８２上に提供することができる。水路６８１は、その中の水があふれると水が壁の下方へ広がるように構成される。このように、空気の水への接触面積は、トレイの面積だけではなく、むしろ、水が提供される壁６８２の面積である。
【００７１】
したがって、水路６８１は、ＡＣユニットの通気路にある壁部分の全長に沿って定義することができ、ＡＣユニット内を流れるすべての空気が壁の水にさらされて、湿気が空気中に蓄えられる。水トレイのレベルは、部屋の湿度レベルが所望のレベル以下に低下すると、水が壁の方へあふれるように維持することができる。これはたとえば、その中に水６７５を有するトレイ６８５と、管セグメント６９２ａおよび６９２ｂによってトレイ６８５と水路６８１との間に流体連通を提供するポンプ６９０とを提供することによって実現することができる。ポンプ６９０は、湿度レベルが所望のレベル未満に下がると、水路６８１上に水を圧送するように構成することができる。
【００７２】
加湿ユニット６８０には、壁部分６８２の底の任意の余剰水を排出するための排水機構をさらに設けることができる。示される例によると、排水機構は壁の長さに沿って定義される切れ込み６９５であり、トレイ６８５はその下に配設される。
【００７３】
例によると、加湿ユニットは、たとえば下に水トレイを配設することによって、その中に水が設けられる切れ込み６９５とすることができる。切れ込み６９５は、通気路の幅全体に沿って配設することができ、缶が、壁部分６８２の底に、または、壁部分の否他の点に沿って配設された。それはここで傾斜壁部分として示される。この例によると、壁部分６８２は、水がその上を流れることを可能とするように構成されないことが理解され、むしろ、本発明者は、切れ込み６９５、あるいは傾斜壁上またはその底部に同様の水路を定義することが、加湿プロセスを増強することを見出した。
【００７４】
ここで開示された主題の加湿ユニットは実質的にエネルギーを消費せず、単にその通気路を流れる気流の動力学を利用することによって作動するだけであることが理解される。加湿ユニットには、調節機構を作動させるための、および、カバーの配置を操作するような、または、水をトレイに提供するポンプを作動させるための、エネルギー源を設けることができる。
【００７５】
上記に加えて、加湿ユニットを利用することは実質的に、部屋の湿度レベルを調節するように窓を開ける必要性を取り除き、したがって、ここで開示された加湿ユニットは、ＨＶＡＣシステムのエネルギー消費量を減少させることが理解される。
【００７６】
熱気が空気ダクトの中を流れるとき、壁に沿った水が空気の湿度レベルを上げる。
【００７７】
長さおよび幅などの壁の寸法は、空気ダクト内の空気の水への接触、およびそれによって形成される湿気を決定することが理解される。
【００７８】
例によると、壁は水平壁とすることができ、水は散水器によってその一方に提供することができ、空気流は水を壁に沿って流れさせる。
【００７９】
他の例によると、水は、壁の頂部に水を撒くように構成されるぱらぱら雨によって提供することができ、それによって、水を下方へ流す。
【００８０】
ここで開示された主題の例の大部分は、住宅および／または建物のＨＶＡＣシステムに関して論じられているが、本明細書に記述される加湿ユニットは、車、電車、バス、および航空機などの乗り物のＨＶＡＣシステムでも使用できる、および／または使用に適合できることに留意されたい。
【００８１】
さらに、加湿ユニットは、エアカーテン、空調、蒸発冷房ユニット、および加湿器などの任意のＡ／Ｃシステムに一体化することができる。用語「備える（ｃｏｍｐｒｉｓｅｓ）」、「備える（ｃｏｍｐｒｉｓｉｎｇ）」、「含む（ｉｎｃｌｕｄｅｓ）」、「含む（ｉｎｃｌｕｄｉｎｇ）」、「有する（ｈａｖｉｎｇ）」、およびそれらの同根語は、「〜を含むが、これ（ら）に限定されるものではない」ことを意味する。
【００８２】
本明細書で使用される場合、単数形「１つの（ａ）」、「１つの（ａｎ）」、および「その（ｔｈｅ）」は、文脈で明らかにそうでないことが示されていない限り、複数形の対象を含む。たとえば、用語「１つの化合物」または「少なくとも１つの化合物」は、複数の化合物を含んでもよく、それらの混合物を含んでもよい。
【００８３】
明瞭にするために、別個の例の文脈に記述される、主題の特定の特徴も、単一の実施形態の組合せで提供されてもよいことが理解される。反対に、簡潔さのために、単一の実施形態の文脈に記述される、主題のさまざまな特徴も、別々に、または、任意の好適なサブコンビネーションで、または、主題の任意の他の記述された実施形態で好適であるように、提供されてもよい。さまざまな例の文脈に記述される特定の特徴は、実施形態がそれらの要素なしで実施不能でない限り、それらの例の重要な特徴とはみなされない。
【図１Ａ】
2016521841.tif 000003
【図１Ｂ】
2016521841.tif 000004
【図２】
2016521841.tif 000005
【図３】
2016521841.tif 000006
【図４】
2016521841.tif 000007
【図５】
2016521841.tif 000008
【図６Ａ】
2016521841.tif 000009
【図６Ｂ】
2016521841.tif 000010
【図６Ｃ】
2016521841.tif 000011
【図７Ａ】
2016521841.tif 000012
【図７Ｂ】
2016521841.tif 000013
【図７Ｃ】
2016521841.tif 000014
【図７Ｄ】
2016521841.tif 000015
【図８】
2016521841.tif 000016
【図９Ａ】
2016521841.tif 000017
【図９Ｂ】
2016521841.tif 000018
【図９Ｃ】
2016521841.tif 000019
【図１０Ａ】
2016521841.tif 000020
【図１０Ｂ】
2016521841.tif 000021
【図１１Ａ】
2016521841.tif 000022
【図１１Ｂ】
2016521841.tif 000023
【国際調査報告】
2016521841.tif 000024
2016521841.tif 000025
2016521841.tif 000026